(57)【要約】【課題】  材料同士が互いに擦り合う場合、その減摩策として、従来は主に鉱物系の潤滑油が多用されているが、作業がしにくい，あるいは使用後の取り扱いにおいて、地球環境、人に対して優しくない、あるいは資源の枯渇などのいろいろな課題を抱えている。【解決手段】  材料同士が互いに擦り合う場合、その減摩策として、従来のように鉱物系油を使用するのではなくて、酒類の植物性液、大豆レシチン、植物性石鹸液、小麦粉、米ぬかを適正に組み合わせた液体状の優れた潤滑機能を有する植物性の酒系潤滑剤を用いることにより、従来に比べて良好な潤滑性能が得られ良好な環境で材料加工作業を行うことができる。しかも、原料はすべて植物をベースとしていることから、資源的にも環境改善に対しても有効な手段になり得る。【特許請求の範囲】
【請求項１】
酒類液、植物性レシチン、植物性石鹸液を含む原液を、撹拌、溶解、飽和させて作られた酒系潤滑剤。
【請求項２】
前記植物性レシチンとして大豆レシチン０．１質量％以上かつ４質量％以下、植物性石鹸液４質量％以上かつ１０質量％以下の請求項１記載の酒系潤滑剤。
【請求項３】
請求項１から２記載の酒系潤滑剤の使用方法で、潤滑剤を被加工材料表面に塗布し、その後乾いた布等で軽くふき取る操作を行って使用する方法
【請求項４】
酒類液、植物性レシチン、植物性石鹸液、そしてさらに小麦粉、米ぬかを単独または複合に含む原液を、撹拌、溶解、飽和させて作られた酒系潤滑剤。
【請求項５】
前記植物性レシチンとして大豆レシチン０．１質量％以上かつ４質量％以下、植物性石鹸液４質量％以上かつ１０質量％以下、そしてさらに小麦粉、米ぬかを単独または複合での添加量が１質量％以上かつ１０質量％以下の請求項４記載の酒系潤滑剤。
【請求項６】
前記酒類液が焼酎（度数２５）２５質量％以上かつ４０質量％以下の請求項１、２、４または５記載の酒系潤滑剤。
【請求項７】
前記酒類液が焼酎（度数２０）３２質量％以上かつ５０質量％以下の請求項１、２、４または５記載の酒系潤滑剤。
【請求項８】
前記酒類液が焼酎（度数３５）あるいはホワイトリカー１７質量％以上かつ２８質量％以下の請求項１、２、４または５記載の酒系潤滑剤。
【請求項９】
請求項１から８記載の酒系潤滑剤の製造方法で、原液成分系が酒類液、植物性の大豆レシチン、植物性石鹸液、水を含むものと、さらにこれに小麦粉、米ぬかを単独または複合に加えたものの２種類の原液から２種類の潤滑剤を作る製造方法で、いずれの原液についても個別に液体用容器に入れ、攪拌後所定時間静置し溶解、飽和させ、液面上層部に生じた浮遊物および液底部の沈殿物を取り除いて得る酒系潤滑剤の製造方法。
【発明の詳細な説明】
【技術分野】
【０００１】  金属あるいは非金属材料の加工時には、擦り合う材料同志の摩擦軽減の為に、従来鉱物系潤滑油が多用されている。しかしこの鉱物系物質多用による地球環境悪化、資源枯渇などの観点から、潤滑剤の分野においても、環境に優しい潤滑剤の開発が強く望まれている。
本発明は、従来の鉱物系潤滑油に代わる環境に優しい酒系潤滑剤とその使用方法および製造方法に関するものである。すなわち、植物性をベースにした酒類液に、植物性の界面活性剤大豆レシチン、植物性石鹸液、さらに小麦粉、米ぬかを単独または複合に含む原液から作られた酒系潤滑剤とその使用方法およびその製造方法に関するものである。
この潤滑剤の適用例には、例えば材料の加工時の材料表面などへの適用がある。
【背景技術】
【０００２】  金属材料の加工作業時など材料同士が互いに擦り合うような場合、従来作業では、主に鉱物系の潤滑油が多用されている。しかし地球環境、とりわけ作業現場での人にも優しくなく、また資源枯渇等の問題もある。
従来の植物性潤滑剤、例えば穀物粉を含む潤滑剤（特開平１０−１８０３９１号、２００８−２３１４２２号あるいは２０１０−１６８５１９等）があるが、これらの場合は、液が固形物（微粒粉）と液との２相に分離しやすく、したがって液そのものの均一塗布がしにくい、あるいは加工材料の前工程からの残留鉱物系油を予め取り除いておかないと、潤滑剤塗布時に液をはじき均一塗布が難しい、また使用後の加工材表面に穀物粉の固形化による付着があり、加工後この固形物除去が難しいなど、潤滑剤（液）の適用性等、実用上の問題が多い。
【発明の開示】
【発明が解決しようとする課題】
【０００３】  これから実用化されようとする潤滑剤は、地球環境に優しく、人に優しく、そして従来工程への適用をも容易であることが望ましい。
【課題を解決するための手段】
【０００４】  本発明者は、上記問題点を解決すべく種々検討した結果、材料同士が互いに擦り合う際に、従来の鉱物系潤滑油に代わって、酒類液、植物性レシチン、植物性石鹸液をベースとするもの、さらにこれに小麦粉、米ぬかの粉類を単独または複合に含んだそれぞれの原液を撹拌、溶解、飽和させて作られた液状の酒系潤滑剤を用いることによって、良好な防腐性、塗布性、優れた潤滑性能による良好な材料加工性、そして加工後の材料表面からの付着潤滑剤除去が容易なことを見出して、本発明を完成させた。
本発明は酒系潤滑剤とその使用（塗布）方法および製造方法に関するものである。【０００５】  本発明潤滑剤は、酒類液を用いることによって防腐性を保持し、植物性レシチンの大豆レシチン、植物性石鹸液をベースとするもの、さらにこれに小麦粉、米ぬかを単独または複合に含んだ原液を作り、これを個別に撹拌し、溶解、飽和させることにより、良好な塗布性、潤滑性能、とりわけ塗布前工程からの材料表面に従来の鉱物系油が付着残留していても、そのまま塗布できるという特典を有している。また潤滑剤使用後の材料表面からの付着潤滑剤除去も容易にし、潤滑剤（液）を取り扱い易くしたものである。
本発明の原液成分系は２通りに分けられる。いずれも酒類液をベースにして、先ず植物性レシチンおよび植物性石鹸液を含む液を原液とするもの、これを第１グループ（Ｇ１）と呼ぶこととし、さらにこれに小麦粉、米ぬかを単独または複合に含ませた液を原液とするもの、これを第２グループ（Ｇ２）と呼ぶことにする。【０００６】  使用（塗布）方法にも、このグループ（Ｇ）に沿って２通りがある。
先ず、Ｇ１では、酒類液、植物性の大豆レシチンそして植物性石鹸液を含む原液から作られた潤滑剤使用の場合で、潤滑剤（液）を被加工材料表面に塗布後、乾いた布もしくは紙類等で軽くふき取るように撫ぜる操作を行って使用する方法で、これにより良好な潤滑性能を発揮し良好な加工性、すなわち良好な加工仕上がり面が得られる。
Ｇ２は、さきのＧ１の液に、さらに小麦粉、米ぬかを単独または複合に含ませた原液を用いる方法で、この場合は塗布ままで使用する通常の方法である。なおこのＧ２にＧ１の塗布方法を適用することもでき、この場合も良好な加工性、加工表面が得られる。
Ｇ１およびＧ２いずれの場合も、加工後の材料表面付着の潤滑剤は、その後の洗浄によって容易に取り除くことができる。すなわち、潤滑剤に、潤滑剤使用後の洗浄による除去のし易さ機能をも、予め付与している。本発明潤滑剤は、常温で使用されるものである。【０００７】  酒類液は、米、麦、芋、トウモロコシ、サトウキビ等を原料とする焼酎、日本酒等の和酒、ウイスキー等の洋酒等の一般的酒類液であり、レシチンも大豆レシチンを主原料とする植物性、石鹸も植物性油脂を原料とする純正の植物性石鹸液、また小麦粉、米ぬか等も植物性である。このように、本発明潤滑剤の原料は、植物を通して得られるので、地球環境、人に対して優しく、かつ植物は育成すれば得ることのできる半永久的資源であることから、本発明潤滑剤は、資源、環境の両面からの対策にもなり得るものである。
なお、本発明酒系潤滑剤は、酒類等の飲料を使用しているが、飲用ではない。【０００８】  本発明潤滑剤の原液での各成分の含有範囲は、次のようになっている。本発明における％表示は、すべて質量％である。
酒類液について、先ず焼酎については、度数２５では、２５％以上かつ４０％以下、度数２０では、３２％以上かつ５０％以下、度数３５あるいはホワイトリカー（度数約３５）では、１７％以上かつ２８％以下、日本酒（度数約１３）については、５０％以上かつ８０％以下、ウイスキー（度数約４０）については、１６％以上かつ２５％以下、である。
なお、酒類液を複合化することもできるが、この場合は、度数の低いものから高いものへと加えることとし、酒類液の複合化合計の含有量は、度数の高いものの範囲内とする。
植物性レシチンの大豆レシチンは０．１％以上かつ４％以下、植物性石鹸液は４％以上かつ１０％以下である。さらに小麦粉、米ぬかの単独または複合の添加総量は１質量％以上かつ１０質量％以下、そして残りは水である。【０００９】  この原液を撹拌、静置し各成分を溶解、飽和させることによって得られた酒系潤滑剤は、防腐性を保持し、良好な塗布性、優れた潤滑性能および使用後の材料表面からの付着潤滑剤除去も容易な機能を有する。
本発明における液の溶解、飽和状態とは、異なる成分を含む液を混ぜ合わせ撹拌後、一定時間静置して生じた液面上層部の浮遊物、液底部の沈殿物を除去した後の残りの液状態を指す。【００１０】  本発明潤滑剤の製造方法は、原液成分系が、先ず焼酎、ホワイトリカーといった酒類液、植物性の大豆レシチン、植物性石鹸液、水を含むもの（Ｇ１）と、これにさらに小麦粉、米ぬかを単独または複合に加えたもの（Ｇ２）の２種類の原液からそれぞれ２種類の潤滑剤を作る方法である。いずれの原液についても、液体用容器に個別に入れ、攪拌後一定時間静置し溶解、飽和させ、生じた液面上層部の浮遊物あるいは液底部の沈殿物を取り除く。Ｇ１およびＧ２個別内における成分の混合順序、撹拌方法、静置時間、あるいは浮遊物、沈殿物を取り除く方法は特に限定せず、採取する液の収率は、高い程望ましい。【００１１】  潤滑剤の塗布は、被加工材の表裏面、あるいは片面のいずれにも適用可能であり、かつ被加工材の製造前工程から来る、いわゆる鉱物系油等の表面付着があって、これを予め脱脂しておかなくても、本潤滑剤は、材料表面に均一に塗布可能であることから、本潤滑剤は、鉱物系油を用いた従来の材料加工工程への適用も容易で、手間なく切り替えてゆくことが可能である。潤滑剤の使用（塗布）方法も適用向けに応じてＧ１およびＧ２を使い分ける。適用箇所も加工金型側に塗布してもよい。【００１２】  本発明の互いに擦り合う材料とは、鉄鋼系、ステンレス系、高合金系、チタン系、アルミ系、銅系など金属あるいは非金属材料等のことであり、その形状については特定しない。
【発明を実施するための最良の形態】
【００１３】  本発明潤滑剤は、良好な防腐性、塗布性を有し、材料と材料とが互いに擦り合う際に、金型と金型の間にはさまれる被加工材の表裏面もしくは片面に塗布して使われるものであり、場合によっては金型側に塗布してもよく、使用箇所は特に限定しない。
【実施例１】
【００１４】  米系焼酎（度数２５）２０〜４５％、大豆レシチン０．０５〜４．５％、植物性石鹸液３．５〜１１％、残り水を混ぜ合わせた原液を用いて作られた液体状酒系潤滑剤の性状調査、すなわち原液成分系Ｇ１での試験で、潤滑剤の塗布は、材料表面に塗布後乾いた布または紙類を用いて軽くふき取る、いわゆる表面を撫ぜる方法で行い、潤滑性能調査には材料の成形加工性能試験：エリクセン（Ｅｒ）試験を行った。加工材料には亜鉛メッキ鋼板（板厚０．８ｍｍ、受け取りままで、表面脱脂処理なし）を用いた。比較に従来の鉱物系油についても行った。
その結果を表１に示す。【００１５】  潤滑剤として、焼酎（度数２５）２５〜４０％、レシチンを０．１〜４％、植物性石鹸液４〜１０％を含み、残り水を混ぜ合わせた原液より作られた潤滑剤を使用することで、液の良好な防腐性、塗布性、かつ高いＥｒ値（ｍｍ）が得られ、加工後の材料の洗浄による付着潤滑剤の除去も容易で、加工材の仕上がりの表面もきれい等良好な成形加工性が得られる。【００１６】  原液の各成分含有量上限も、先ず焼酎（度数２５）については４０％以上、すなわち４５％になると、特性値も飽和してくるので、適正な含有量の上限は４０％である。大豆レシチンも４．０％以上、すなわち４．５％になると特に成型加工性Ｅｒ値も飽和してくるので、上限は４％である。植物性石鹸液は１０％以上、すなわち１１％になると洗浄性は良いが、成型加工性Ｅｒ値がやや低下の傾向を示し始めるので、上限は１０％である。
【表１】
2016196618.tif 000002
焼酎については、米系の他、麦、芋、サトウキビおよびトウモロコシ系等、いずれにおいても同様な結果が得られている。
【実施例２】
【００１７】  酒類液が、焼酎（度数２０、３５）、ホワイトリカー、日本酒そしてウイスキーの場合について同様の試験を行った。この場合も塗布方法はＧ１の方法である。
その結果を表２に示す。
【表２】
2016196618.tif 000003
焼酎（度数２０、３５）、ホワイトリカー、日本酒そしてウイスキーにおいて良好な結果が得られている。
【実施例３】
【００１８】  潤滑剤原液の成分につき、米系焼酎（度数２５）３５％、大豆レシチン２％、植物性石鹸液８％とし、小麦粉０〜１５％、残り水について同様の試験を行った。なおこの小麦粉を加わえる場合には、潤滑剤の塗布方法はＧ２で行った。すなわち塗布ままでの試験結果である。結果を表３に示す。
【表３】
2016196618.tif 000004
小麦粉含有量１〜１５％において良好な結果が得られている。小麦粉含有量上限については、１０％以上すなわち１５％において、Ｅｒ値（ｍｍ）も飽和もしくは低下の傾向を示し始めるので、したがって適正な上限値は１０％である。
【実施例４】
【００１９】  潤滑剤原液につき、焼酎（度数２５）３５％、大豆レシチン２％、植物性石鹸液８％を用いて、米ぬか１〜１０％添加の場合、また小麦粉３％と米ぬか３％の複合添加の場合について同様の試験を行った。塗布方法はＧ２の方法である。その結果を表４に示す。いずれにおいても良好な結果が得られている。
【表４】
2016196618.tif 000005
【実施例５】
【００２０】  本発明酒系潤滑剤の製造方法例を示す。先ず原液成分系が焼酎（度数２５）の酒類液、大豆レシチン、植物性石鹸液、水を含むＧ１の場合、およびさらにこれに小麦粉を加えたＧ２の場合の２通りの原液について、それぞれ個別に液体用容器に入れ、攪拌、静置する。しばらくしたら液面上層部に浮遊物、あるいは液底部に沈殿物が生成するので、これを除去する。
このようにして得られた２種類の潤滑剤としての性能を調べるために、同様の試験を行った。この場合の潤滑剤の塗布方法は、小麦粉無しの場合はＧ１の方法で、小麦粉有りの場合はＧ２の方法で行った。原液作成量は１００ｇ（グラム）である。結果を表５に示す。
【表５】
2016196618.tif 000006
いずれの酒系潤滑剤（液）も、防腐性、塗布性ともに良好で、かつ、この潤滑剤を用いて行った材料の成形加工性能試験そして洗浄性においても良好な結果が得られている。
【産業上の利用可能性】
【００２１】  本発明は、以上のように構成されているので、以下に記載されるような産業上の利用可能性を有する。
すなわち、産業上における材料加工作業において、本発明潤滑剤の使用は、優れた潤滑性能による被加工材料間での摩擦軽減で良好な加工材の作成、そして容易な適用性から実用上での利点を有する。
本発明潤滑剤は、主原料は、焼酎、ホワイトリカー等酒類、大豆レシチン、植物性石鹸液、そして小麦粉、米ぬかのいずれも植物から得られるものである。悪化した現状の地球環境改善に貢献し、とりわけ、従来の鉱物油から植物性、しかも食品そして飲料へと人に優しく親しみやすい原料へと移行することにより、作業環境改善にも直接的に有効である。また植物という育成すればできる半永久的資源をベースとしているので、本発明は、資源、環境の両面から有効である。